(57)【要約】【課題】特に偽造および盗用による複製を確実に回避して、信頼性および安全性を高めると共に、より低コストに製造できる偽造防止カードおよび認証用タグなどの偽造防止担体の提供が求められていた。【解決手段】透明領域に３層以上の平面画像が形成されていることを特徴とする偽造防止担体、特に片面あるいは両面に平面画像が設けられている透明な基材シートが積層されていることを特徴とする偽造防止担体や、前記平面画像が線画もしくは点画もしくは線画と点画の組み合わせで形成されている偽造防止担体、撮影角度の異なる少なくとも２台のイメージセンサにて偽造防止担体の平面画像のある領域を読取画像として読み取り、各イメージセンサの読取画像により認証を行う偽造防止担体の認証方法などを提供する。【選択図】図１
2006068987.tif 000002
【特許請求の範囲】
【請求項１】
透明領域に３層以上の平面画像が形成されていることを特徴とする偽造防止担体。
【請求項２】
片面あるいは両面に平面画像が設けられている透明な基材シートが積層されていることを特徴とする請求項１記載の偽造防止担体。
【請求項３】
前記平面画像が、線画もしくは点画もしくは線画と点画の組み合わせで形成されていることを特徴とする請求項１または２記載の偽造防止担体。
【請求項４】
前記平面画像の少なくとも一層は、赤外線吸収材料と赤外線透過材料もしくは赤外線透過材料のみで形成されていることを特徴とする請求項１から３のいずれかに記載の偽造防止カード。
【請求項５】
担体がカード状をしていることを特徴とする請求項１から４のいずれかに記載の偽造防止担体。
【請求項６】
担体がタグ状をしていることを特徴とする請求項１から４のいずれかに記載の偽造防止担体。
【請求項７】
撮影角度の異なる少なくとも２台のイメージセンサにて、前記請求項１ないし６のいずれかに記載の偽造防止担体の平面画像のある領域を読取画像として読み取り、各イメージセンサの読取画像により認証を行うことを特徴とする偽造防止担体の認証方法。
【請求項８】
前記撮影角度の異なる少なくとも２台のイメージセンサのうち、１台のイメージセンサは赤外領域のみを読み取ることを特徴とする請求項７記載の偽造防止担体の認証方法。
【発明の詳細な説明】
【技術分野】
【０００１】
本発明は、偽造防止効果が必要とされる、クレジットカード、キャッシュカード等、様々なカード媒体などの偽造防止担体に適用でき、さらには複写機やスキャナーによる偽造を効果的に防止できるとともに、安価に製造することができるようにした偽造防止カード、認証用タグなどの偽造防止担体及びそれらの読み取りにより行うその認証方法に関するものである。
【背景技術】
【０００２】
一般に、認証情報を磁気的に書き込む磁気カードやデータメモリ機能を有するＩＣカードは、偽造あるいは認証情報が盗用されるおそれがあり、偽造または盗用を防止する技術が社会的に必要とされている。
【０００３】
従来、偽造あるいは盗用の回避を目的とした認証用タグとして、データキャリアが知られている。このデータキャリアは、使用者固有の認識情報として認識情報部が付与され、その認識情報部を基体となる単色の熱可塑性樹脂のペレット及びアットランダムに配列される金属粉を押出機により同時形成したものである（例えば特許文献１参照）。
【０００４】
しかしながら、このような従来のデータキャリアはアットランダムな金属粉を用いることから偽造及び複製は困難であるものの、ランダム模様を形成する金属粉が直接読み取られる為、例えばコピー機による識別情報のコピーに対し、確実に回避できない恐れがある。
【０００５】
特許文献は以下の通り。
【特許文献１】特開平１０−４４６５０号公報
【発明の開示】
【発明が解決しようとする課題】
【０００６】
上述の問題点を解決すべく、本発明は、このような従来の要請に応えたものであり、特に偽造および盗用による複製を確実に回避して、信頼性および安全性を高めると共に、より低コストに製造できる偽造防止カードおよび認証用タグなどの偽造防止担体の提供を目的とする。
【課題を解決するための手段】
【０００７】
上記課題を達成する為になされた請求項１に記載の発明は、透明領域に３層以上の平面画像が形成されていることを特徴とする偽造防止担体である。
【０００８】
また、請求項２に記載の発明は、片面あるいは両面に平面画像が設けられている透明な基材シートが積層されていることを特徴とする請求項１記載の偽造防止担体である。
【０００９】
また、請求項３に記載の発明は、前記平面画像が、線画もしくは点画もしくは線画と点画の組み合わせで形成されていることを特徴とする請求項１または２記載の偽造防止担体である。
【００１０】
また、請求項４に記載の発明は、前記平面画像の少なくとも一層は、赤外線吸収材料と赤外線透過材料もしくは赤外線透過材料のみで形成されていることを特徴とする請求項１から３のいずれかに記載の偽造防止カードである。
【００１１】
また、請求項５に記載の発明は、担体がカード状をしていることを特徴とする請求項１から４のいずれかに記載の偽造防止担体である。
【００１２】
また、請求項６に記載の発明は、担体がタグ状をしていることを特徴とする請求項１から４のいずれかに記載の偽造防止担体である。
【００１３】
また、請求項７に記載の発明は、撮影角度の異なる少なくとも２台のイメージセンサにて、前記請求項１ないし６のいずれかに記載の偽造防止担体の平面画像のある領域を読取画像として読み取り、各イメージセンサの読取画像により認証を行うことを特徴とする偽造防止担体の認証方法である。
【００１４】
また、請求項８に記載の発明は、前記撮影角度の異なる少なくとも２台のイメージセンサのうち、１台のイメージセンサは赤外領域のみを読み取ることを特徴とする請求項７記載の偽造防止担体の認証方法である。
【発明の効果】
【００１５】
本発明の偽造防止カード及び認証用タグなどの偽造防止担体は、透明媒体の三層以上の線画もしくは点画などの平面画像をお互いの一部もしくは全部が視認できる様に形成されたもので、撮影角度が異なる少なくとも２台のイメージセンサにて前記透明部分の三層以上に設けられた線画もしくは点画などの平面画像を重なるかたちで読取画像として読み取り、前記イメージセンサの読取画像より真偽判定を行う。
【００１６】
この構成の偽造防止カード及び認証用タグなどの偽造防止担体は、従来の偽造カードの製造方法のように、磁気カードもしくはＩＣカードの磁気データもしくはＩＣのメモリデータを盗用し、このデータをあらかじめ大量に製造した磁気カードもしくはＩＣカードにデータを書き込み偽造カードを製造する方法が不可能になることにより、偽造防止効果、特にデータ盗用に対して効果的である。
【００１７】
さらに、ランダム画像などの平面画像の一部を赤外線透過材料で形成し、読み取り時に２台のイメージセンサのうち１台を赤外線画像を読み取れるようにすることで、より一層偽造防止効果が高まる。
【発明を実施するための最良の形態】
【００１８】
以下図面を用いて本発明の実施の形態を詳細に示す。
【００１９】
図１は本発明が偽造防止カードである場合の一実施例を示す平面図であり、図２は図１の偽造防止カードのＸ−Ｘ線における断面図である。また図３は図１の偽造防止カードの読み取り方法を示した概略図であり、図４は図３の読み取り方法による真偽判定方法を示した概略図である。
【００２０】
さらに、図５は本発明の偽造防止媒体の一実施例を示す平面図であり、図６は図５の偽造防止媒体のＹ−Ｙ線における断面図である。また、図７は図５の偽造防止カードの読み取り方法を示した概略図であり、図８は図７の読み取り方法による真偽判定方法を示した概略図である。
【００２１】
図１及び図２に示す偽造防止カード１は、透明基材１２、１３、オーバーコート１４、１５からなり、透明基材１２の表面上に表面ランダムパターン１６、透明基材１３の表面上に表面ランダムパターン１７、裏面上に裏面ランダムパターン１８が設けられている。このランダムパターン１６、１７、１８は、偽造防止カード１の透明窓部１１に設けられ
ており、偽造防止カード１の表面から、下層ランダムパターン１７、１８の一部が見え、さらに偽造防止カード１を傾けると、表面ランダムパターン１６に隠れていた下層ランダムパターン１７、１８の一部が見える構成となっている。
【００２２】
図４及び図５に示す偽造防止カード３は、透明基材３２、３３、オーバーコート３４、３５からなり、透明基材３２の表面上に表面ランダムパターン３６、透明基材３３の表面上に赤外線透過タイプの表面ランダムパターン３７、裏面上に裏面ランダムパターン３８が設けられている。このランダムパターン３６、３７、３８は、偽造防止カード３の透明窓部３１に設けられており、通常の状態では偽造防止カード３の表面から、下層ランダムパターン３７、３８の一部が見え、さらに偽造防止カード３を傾けると、表面ランダムパターン３６に隠れていた下層ランダムパターン３７、３８の一部が見える構成となっている。さらに赤外線領域で偽造防止カード３をみると、ランダムパターン３６、及びランダムパターン３８のみが確認できる。
【００２３】
図３は、図１の偽造防止カード１の読み取り方法を示す概略図で、偽造防止カード１の裏面から透明窓部１１に向けて光源２０を照射し、互いに撮影角度の異なるイメージセンサＡ１９及びイメージセンサＢ２０にそれぞれ透明窓部１１から投影された画像を取り込む。真偽判定はデータ処理部３０にて行い、イメージセンサＡ１９で撮影した画像２２及びイメージセンサＢ２０で撮影した画像２３を合成２４して暗号化及びコード化２５を行い、データベース２６にあらかじめ記録されているコードと一致するかどうかの真偽判定２７を図４の様に行い、一致した場合次の処理２８を行い、一致しない場合排除２９を行う。
【００２４】
図７は、図５の偽造防止カード３の読み取り方法を示す概略図で、偽造防止カード３の裏面から透明窓部３１に向けて光源４０を照射し、互いに撮影角度の異なるイメージセンサＡ３９及びイメージセンサＢ４０にそれぞれ透明窓部３１から投影された画像を取り込む。ただし、イメージセンサＢ３９の画像は可視光カットフィルタ４２を通して投影された画像４３であることにより赤外透過タイプのランダムパターン３７はイメージセンサＢ４０には映し出されない。真偽判定はデータ処理部５０にて図８の様に行い、イメージセンサＡ３９で撮影した画像５２及びイメージセンサＢ４０で撮影した画像５３を合成４４して暗号化及びコード化４５を行い、データベース４６にあらかじめ記録されているコードと一致するかどうかの真偽判定４７を行い、一致した場合次の処理４８を行い、一致しない場合排除４９を行う。
【００２５】
図１及び図５の偽造防止カード１、３はカードの形状を変えることで認証用タグとしても使用できる。
【００２６】
透明基材１２、１３、３２、３３は透明シートであれば特に限定しないが、例えばカード等の切断やエンボス加工性を考慮すると、プラスチックシートが適当で、上記カードの場合、透明プラスチックで、塩化ビニル（ＰＶＣ）、ポリエチレンテレフタレート（ＰＥＴ）、ポリエチレン（ＰＥ）、ポリプロピレン（ＰＰ）、ポリスチレン（ＰＳ）あるいはＡＢＳのシートなどが挙げられ、特にエンボス適正等から、塩化ビニルが多く使用され、近年では環境問題等から非晶性のＰＥＴ等を含め前記の樹脂を応用して使用するようになってきている。
【００２７】
ランダムパターン１６、１７、１８、３６、３８及び赤外透過タイプのランダムパターン３７は例えばオフセットインキ、グラビアインキ、スクリーンインキ等を用い、それぞれの印刷法で設ける。特にランダムパターン３６、３８に使用するインキ色素は、赤外線を吸収する顔料もしくは染料にて構成され、赤外線透過タイプのランダムパターン３７は、赤外線を透過する顔料もしくは染料にて構成される。
【００２８】
また、ランダムパターン３６、３８に使用するインキの色素として、可視光領域において光を透過し赤外線にて光を吸収する顔料もしくは染料を使用することが可能である。
【００２９】
本発明を具体的な実施例を挙げて詳細に示す。
【実施例１】
【００３０】
０．２７ｍｍ厚の透明塩ビ基材の表裏にランダムパターン線画をプロセス黒インキを用いてオフセット印刷法にて印刷した。同時に裏面に絵柄をオフセット印刷法にて印刷した。さらにもう一枚０．２７ｍｍ厚の透明塩ビ基材の表面にランダムパターン線画をプロセス黒インキを用いてオフセット印刷法にて印刷し、同時に表面に絵柄をオフセット印刷法にて印刷した。上記２枚の塩ビ基材を重ね、この表裏に０．１ｍｍ厚の透明塩ビ製オーバーシートを重ね、カード表面に磁気ストライプテープを貼り、熱プレス法によりラミネートを行い、カードの大きさに抜き偽造防止カードを得た。
【００３１】
上記偽造防止カードをスキャナーで読み込み、偽造カードを作製したが、図３に示す読み取り装置にて判定を行ったところ、真券のコードと一致しない為、偽造カードと判定された。
【実施例２】
【００３２】
０．２７ｍｍ厚の透明塩ビ基材の表にランダムパターン線画を赤外透過タイプの黒インキを用いてオフセット印刷法にて印刷し、さらに裏面にランダムパターンをプロセス黒インキを用いてオフセット印刷法にて印刷した。同時に裏面に絵柄をオフセット印刷法にて印刷した。さらにもう一枚０．２７ｍｍ厚の透明塩ビ基材の表面にランダムパターン線画をプロセス黒インキを用いてオフセット印刷法にて印刷し、同時に表面に絵柄をオフセット印刷法にて印刷した。上記２枚の塩ビ基材を重ね、この表裏に０．１ｍｍ厚の透明塩ビ製オーバーシートを重ね、カード表面に磁気ストライプテープを貼り、熱プレス法によりラミネートを行い、カードの大きさに抜き偽造防止カードを得た。
【００３３】
上記偽造防止カードをスキャナーで読み込み、偽造カードを作製したが、図７に示す読み取り装置にて判定を行ったところ、真券のコードと一致しない為、偽造カードと判定された。
【産業上の利用可能性】
【００３４】
本発明は、偽造防止効果が必要とされる、クレジットカード、キャッシュカード等、様々なカード媒体などの偽造防止担体に適用でき、さらには複写機やスキャナーによる偽造を効果的に防止できるとともに、安価に製造することができるようにした偽造防止カード、認証用タグなどの偽造防止担体及びそれらの読み取りにより行うその認証方法に関するものである。
【図面の簡単な説明】
【００３５】
【図１】本発明の偽造防止カードの一実施例を示す平面図である。
【図２】図１の偽造防止カードのＸ−Ｘ線における断面図である。
【図３】図１の偽造防止カードの読み取り方法を示す概略図である。
【図４】図４は図３の読み取り方法による真偽判定方法を示した概略図である。
【図５】本発明の偽造防止カードの一実施例を示す平面図である。
【図６】図５の偽造防止シールのＹ−Ｙ線における断面図である。
【図７】図５の偽造防止カードの読み取り方法を示す概略図である。
【図８】図８は図７の読み取り方法による真偽判定方法を示した概略図である。
【符号の説明】
【００３６】
１、３    偽造防止カード
１１、３１  透明窓部
１２、１３  透明基材
３２、３３  透明基材
１４、１５  オーバーコート
３４、３５  オーバーコート
１６、１７、１８  ランダムパターン
３６、３８  ランダムパターン
３７  赤外線透過タイプランダムパターン
１９、３９  イメージセンサＡ
２０、４０  イメージセンサＢ
２１、４１  光源
４２  可視光カットフィルタ
２２、５２  イメージセンサＡで撮影した画像
２３、５３  イメージセンサＢで撮影した画像
３０、５０  データ処理部
【図１】
2006068987.tif 000003
【図２】
2006068987.tif 000004
【図３】
2006068987.tif 000005
【図４】
2006068987.tif 000006
【図５】
2006068987.tif 000007
【図６】
2006068987.tif 000008
【図７】
2006068987.tif 000009
【図８】
2006068987.tif 000010